(57)【要約】【課題】本体部とソケットとを接着する際に治具が不要であり、作業性を大幅に向上させることができるＬＥＤ照明灯を提供する。【解決手段】直管形のＬＥＤ照明灯１０は、複数のＬＥＤ１２を配設したＬＥＤ基板１１と、前記ＬＥＤ基板１１を覆う筒状のカバー２０と、前記カバー２０の両端に冠着されるソケット３０と、を備える。前記カバー２０を所定の方向で前記ソケット３０に差し込んだ後に回転させ、これにより前記カバー２０と前記ソケット３０とが嵌合するようにした。【選択図】図３
2013214392.tif 000002
【特許請求の範囲】
【請求項１】
複数のＬＥＤを配設したＬＥＤ基板と、
前記ＬＥＤ基板を覆う筒状のカバーと、
前記カバーの両端に冠着されるソケットと、
を備えた直管形のＬＥＤ照明灯において、
前記カバーを所定の方向で前記ソケットに差し込んだ後に回転させることで、前記カバーと前記ソケットとが嵌合することを特徴とする、ＬＥＤ照明灯のソケット嵌合構造。
【請求項２】
前記カバーの外周に外周方向に突出するカバー凸部を形成するとともに、
前記ソケットの内周に内周方向に突出するソケット凸部を形成し、
前記カバー凸部と前記ソケット凸部とが係合することで、前記カバーと前記ソケットとが嵌合することを特徴とする、請求項１記載のＬＥＤ照明灯のソケット嵌合構造。
【請求項３】
前記カバー凸部及び前記ソケット凸部の対応する位置に係合部及び被係合部を設け、該係合部と被係合部とが係合することで前記カバーと前記ソケットとが互いに位置決めされることを特徴とする、請求項１又は２記載のＬＥＤ照明灯のソケット嵌合構造。
【発明の詳細な説明】
【技術分野】
【０００１】
この発明は、直管形のＬＥＤ照明灯のソケット嵌合構造に関するものである。
【背景技術】
【０００２】
近年、既存の蛍光灯と構造的に互換性のあるＬＥＤ照明灯が提案されている（例えば特許文献１参照）。
【０００３】
こうしたＬＥＤ照明灯は、円筒状の本体部と、この本体部の両側に設けられたソケット部とを備えており、外形状は従来の蛍光灯と同様となっている。
【先行技術文献】
【特許文献】
【０００４】
【特許文献１】特開２０１１−２１０７２９号公報
【発明の概要】
【発明が解決しようとする課題】
【０００５】
上記したようなＬＥＤ照明灯を組み立てる際には、本体部の内部にＬＥＤ基板を収容してソケットを嵌合させ、嵌合させた本体部とソケットとを接着して組み立てられる。このとき、本体部とソケットとは軽嵌合状態であるため、接着強度が得られるまでは本体部とソケットとが離れないようにソケットを本体部に押し付ける必要があった。このため、押し付けるための治具が必要となったり、仮置きのためのスペースが必要となったりする問題があった。
【０００６】
そこで、本発明は、本体部とソケットとを接着する際に治具が不要であり、作業性を大幅に向上させることができるＬＥＤ照明灯を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載のＬＥＤ照明灯のソケット嵌合構造は、複数のＬＥＤを配設したＬＥＤ基板と、前記ＬＥＤ基板を覆う筒状のカバーと、前記カバーの両端に冠着されるソケットと、を備えた直管形のＬＥＤ照明灯において、前記カバーを所定の方向で前記ソケットに差し込んだ後に回転させることで、前記カバーと前記ソケットとが嵌合することを特徴とする。
【００１０】
（請求項２）
請求項２に記載の発明は、上記した請求項１記載の発明の特徴点に加え、以下の点を特徴とする。
【００１１】
すなわち、前記カバーの外周には、外周方向に突出するカバー凸部が形成されるとともに、前記ソケットの内周には、内周方向に突出するソケット凸部が形成され、前記カバー凸部と前記ソケット凸部とが係合することで、前記カバーと前記ソケットとが嵌合することを特徴とする。
【００１２】
（請求項３）
請求項３に記載の発明は、上記した請求項１又は２記載の発明の特徴点に加え、以下の点を特徴とする。
【００１３】
すなわち、前記カバー凸部及び前記ソケット凸部の対応する位置に係合部及び被係合部を設け、該係合部と被係合部とが係合することで前記カバーと前記ソケットとが互いに位置決めされることを特徴とする。
【発明の効果】
【００１４】
本発明は上記の通りであり、カバーを所定の方向でソケットに差し込んだ後に回転させることで、前記カバーと前記ソケットとが嵌合する。すなわち、カバーは、所定の方向でソケットに差し込んだときに緩嵌するとともに、この緩嵌状態から回転させることで嵌め合いがきつくなるように形成されている。このため、カバーを回転させることで、カバーとソケットとが離れないように保持されているので、ソケットをカバーに押し付けるための治具が不要であり、また、仮置きのためのスペースも必要ない。また、作業性が向上するとともに、作業の確実性も向上する。
【００１５】
例えば、前記カバーの外周に外周方向に突出するカバー凸部を形成するとともに、前記ソケットの内周に内周方向に突出するソケット凸部を形成し、前記カバー凸部と前記ソケット凸部とを係合させることで、前記カバーと前記ソケットとを嵌合させればよい。
【００１６】
また、前記カバー凸部及び前記ソケット凸部の対応する位置に係合部及び被係合部を設け、該係合部と被係合部とが係合することで前記カバーと前記ソケットとが互いに位置決めされるようにしてもよい。このように構成すれば、回転方向の位置決めが容易となるので、ソケットとカバーとを互いに回転させて組み立てた場合でも、ＬＥＤの照射方向がずれてしまうという問題が発生しない。
【図面の簡単な説明】
【００１７】
【図１】ＬＥＤ照明灯の（ａ）正面図、（ｂ）中間部を省略した側面図である。
【図２】ＬＥＤ照明灯を上から見た一部拡大分解図である。
【図３】ＬＥＤ照明灯を下から見た一部拡大分解図である。
【図４】ソケットを取り外したＬＥＤ照明灯の（ａ）正面図、（ｂ）一部拡大正面図である。
【図５】ソケットの（ａ）背面図、（ｂ）一部拡大背面図である。
【図６】カバーとソケットとを嵌合させる状態を説明する一部拡大図であって、（ａ）嵌合前の状態を示す図、（ｂ）嵌合後の状態を示す図である。
【発明を実施するための形態】
【００１８】
本実施形態に係るＬＥＤ照明灯１０は、図１に示すように、従来の蛍光灯と構造的に互換性のある直管形の照明灯であり、従来の蛍光灯用の灯具本体に接続可能となっている。
【００１９】
このＬＥＤ照明灯１０は、複数のＬＥＤ１２を配設したＬＥＤ基板１１と、このＬＥＤ基板１１への電力供給を制御する制御基板４０と、ＬＥＤ基板１１及び制御基板４０を覆う筒状のカバー２０と、このカバー２０の両端に冠着されるソケット３０と、を備えている。このＬＥＤ照明灯１０は、従来の蛍光灯と同様に、両端のソケット３０が灯具本体の接続部に取り付けられ、この接続部を介して電力が供給されることで点灯する。
【００２０】
（ＬＥＤ基板１１）
ＬＥＤ基板１１は、図３等に示すように、複数のＬＥＤ１２を表面に実装した基盤である。このＬＥＤ基板１１には、ＬＥＤ１２に対して供給する電気を蓄えたコンデンサ１３も実装されている。
【００２１】
（制御基板４０）
制御基板４０は、図２等に示すように、ＬＥＤ基板１１上の複数のＬＥＤ１２のオン・オフを切り替えるためのトランジスタ等が実装された基板である。特に図示しないが、この制御基板４０は、外部から供給された電力を制御するための制御回路を備えており、この制御回路を介してＬＥＤ基板１１へと電力を供給する。
【００２２】
（カバー２０）
カバー２０は、図２、３等に示すように、ＬＥＤ基板１１を下方に向けて支持する支持部材としての放熱パイプ２１と、放熱パイプ２１の下側に固定される光拡散カバー２５と、を備えている。このカバー２０は、光拡散カバー２５と放熱パイプ２１とが接合されると全体として円筒形状を形成する。
【００２３】
（放熱パイプ２１）
放熱パイプ２１は、アルミ製の押し出し型材であり、図２〜４に示すように、略半月状のパイプ部２１ａと、このパイプ部２１ａの下方に一体的に延設された下垂部２１ｂと、を備えている。この放熱パイプ２１は、ＬＥＤ基板１１及び制御基板４０が面接触するように取り付けられ、基板の熱を放熱するためのヒートシンクの役割を果たすようになっている。
【００２４】
略半月状のパイプ部２１ａは、内部が中空となっており、この中空の内部に制御基板４０をスライド挿入できるようになっている。
【００２５】
下垂部２１ｂは、パイプ部２１ａの平坦面から下方に突出しており、カバー２０の長手方向全長に渡って両側に平行に２つ形成されている。この２つの下垂部２１ｂの内側面には、対向する位置に狭持溝２１ｃが形成されており、この狭持溝２１ｃにＬＥＤ基板１１を差し込んでスライドさせることで、ＬＥＤ１２の実装面が下方を向くようにＬＥＤ基板１１を保持できるようになっている。また、２つの下垂部２１ｂの外側面には外溝２１ｄが形成されており、この外溝２１ｄによって光拡散カバー２５を取り付け可能となっている。
【００２６】
（光拡散カバー２５）
光拡散カバー２５は、図２〜４に示すように、略Ｃ字形に形成された樹脂製の押し出し型材である。光拡散カバー２５は、全体が透光性の光透過部２５ｂを構成しており、下方及び側方にＬＥＤ１２の発する光を放出させるように形成されている。
【００２７】
この光拡散カバー２５の両側の開放端部は、内側に鉤状に突出しており、係合爪部２５ａを形成している。この係合爪部２５ａが前述した放熱パイプ２１の外溝２１ｄに差し込まれることにより、光拡散カバー２５は放熱パイプ２１に取り付け可能となっている。光拡散カバー２５を放熱パイプ２１に取り付ける際には、光拡散カバー２５の弾性を利用して両側の係合爪部２５ａが離れる方向に押し広げ、外溝２１ｄに差し込む。これにより、両側の係合爪部２５ａが外溝２１ｄを外から挟み込んで、光拡散カバー２５と放熱パイプ２１とが互いに接合される。
【００２８】
（ソケット３０）
ソケット３０は、カバー２０の両端に冠着される有底円筒状の部材であり、樹脂製の筒部材３１と、この筒部材３１の端部に装着される電極キャップ３２と、を備えている。
【００２９】
筒部材３１は、カバー２０の端部外周に外装されるために筒状に形成されている。
【００３０】
また、電極キャップ３２は、２つのピン３２ａが突出形成された金属製の部材である。ＬＥＤ照明灯１０は、この電極キャップ３２のピン３２ａを灯具本体の接続部に挿入接続することで灯具本体に装着され、このピン３２ａによって自重を支えられるようになっている。
【００３１】
（カバー２０とソケット３０との嵌合について）
上述したカバー２０の外周には、図３及び４に示すように、外周方向に突出するカバー凸部２１ｅが形成されている。詳しくは、放熱パイプ２１の外周下端位置に所定の幅（例えば外周長の１０分の１以下の幅）でカバー凸部２１ｅが膨出形成されている。
【００３２】
また、ソケット３０の内周には、図５に示すように、内周方向に突出するソケット凸部３１ａが形成されている。詳しくは、筒部材３１の内周下端位置に所定の幅（例えば内周長の１０分の１以下の幅）でソケット凸部３１ａが膨出形成されている。
【００３３】
このカバー２０とソケット３０とを嵌合させる際には、カバー２０を所定の方向でソケット３０に差し込んだ後に回転させればよい。すなわち、まず、図６（ａ）に示すように、カバー凸部２１ｅとソケット凸部３１ａとが対向しない方向でカバー２０をソケット３０に差し込む。その後、図６（ｂ）に示すように、カバー凸部２１ｅとソケット凸部３１ａとが対向する位置までカバー２０とソケット３０とを相対回転させれば、カバー凸部２１ｅとソケット凸部３１ａとが重なり合うことで嵌め合いがきつくなり、カバー２０とソケット３０とを固定することができる。
【００３４】
また、図４に示すように、カバー凸部２１ｅの中央には被係合部２１ｆが凹設されており、更に、図５に示すように、ソケット凸部３１ａの中央には係合部３１ｂが凸設されている。このため、図６（ｂ）に示すように、カバー凸部２１ｅとソケット凸部３１ａとが完全に重なり合ったときに、係合部３１ｂと被係合部２１ｆとが係合し、カバー２０とソケット３０とが互いに位置決めされるように形成されている。
【００３５】
このように、本実施形態によれば、カバー２０は、所定の方向でソケット３０に差し込んだときに緩嵌するとともに、この緩嵌状態から回転させることで嵌め合いがきつくなるように形成されている。このため、カバー２０とソケット３０とが離れないように保持されるので、カバー２０とソケット３０とを接着して組み立てる際にソケット３０をカバー２０に押し付けるための治具が不要であり、また、仮置きのためのスペースも必要ない。また、作業性が向上するとともに、作業の確実性も向上する。
【００３６】
また、係合部３１ｂと被係合部２１ｆとが係合することでカバー２０とソケット３０とが互いに位置決めされるので、回転方向の位置決めが容易となり、ソケット３０とカバー２０とを互いに回転させて組み立てた場合でも、ＬＥＤ１２の照射方向がずれてしまうという問題が発生しない。
【００３７】
なお、上記した実施形態においては、放熱パイプ２１にカバー凸部２１ｅを膨出形成したが、これに限らない。例えば、光拡散カバー２５にカバー凸部を設けてもよい。ただし、光拡散カバー２５に押し出し成形でカバー凸部を膨出形成した場合、長手方向全長に渡って（光透過部２５ｂも含めて）カバー凸部を形成することになり、光特性上問題がある。よって、光拡散カバー２５にカバー凸部を設ける場合には、貼り付けなどでカバー凸部を形成するのがのぞましい。
【符号の説明】
【００３８】
１０  ＬＥＤ照明灯
１１  ＬＥＤ基板
１２  ＬＥＤ
１３  コンデンサ
２０  カバー
２１  放熱パイプ（支持部材）
２１ａ  パイプ部
２１ｂ  下垂部
２１ｃ  狭持溝
２１ｄ  外溝
２１ｅ  カバー凸部
２１ｆ  被係合部
２５  光拡散カバー
２５ａ  係合爪部
２５ｂ  光透過部
３０  ソケット
３１  筒部材
３１ａ  ソケット凸部
３１ｂ  係合部
３２  電極キャップ
３２ａ  ピン
４０  制御基板
【図１】
2013214392.tif 000003
【図２】
2013214392.tif 000004
【図３】
2013214392.tif 000005
【図４】
2013214392.tif 000006
【図５】
2013214392.tif 000007
【図６】
2013214392.tif 000008